(57)【要約】      （修正有）【課題】スチール製黒板等にコンパスを用いて円周等図形を描く際、コンパスの回動軸を滑ることなく黒板表面の１点に当接し、スムースに円周等ラインを描くことを可とするスチール製黒板・ボード用コンパスを提供する。【解決手段】コンパス回動軸としてのコンパス針部は、針支持部に自在に回動する回動体６を嵌合し、回動体６先端部にネオジウム磁石７を捲着し、ネオジウム磁石７先端部に半球状のスチール製接点部８を当着し、一体的にラバーコーティング９させる。これにより、コンパス針部をスチール製黒板、ボード等表面を滑ることなくかつ傷付けず当接し、スムースに円周等図形を容易に描くことができるようになる。【選択図】図２
0003171457.tif 000002
【実用新案登録請求の範囲】
【請求項１】
スチール製黒板、ボード（１）に円周等図形を描くコンパスに関して、コンパス本体（２）は両脚を有し、片脚は図形を描く部材チョーク、マーカー等を取付け可能とし、他方の片脚はコンパス軸支持部（３）であり、コンパス軸支持部（３）の下方先端部に、スチール黒板・ボード（１）表面に当接すべくコンパス針部（４）を形成し、コンパス針部（４）は、コンパス軸支持部（３）下部面に一部挿入固定すべく針支持部（５ａ）を有し、かつコンパス軸支持部（３）下部面に挿入せず下方に伸びる針支持部（５ｂ）の外周縁には回動自在の回動体（６）を嵌合し、回動体（６）先端部にはネオジウム磁石（７）を倦着し、ネオジウム磁石（７）先端部にはスチール製黒板、ボード（１）表面に押圧可能な半球状のスチール製接点部（８）を当着した構成とし、回動体（６）、ネオジウム磁石（７）、スチール製接点部（８）を一体的に外嵌着するラバーコーティング（９）から形成されるスチール製黒板、ボード用コンパス
【考案の詳細な説明】
【技術分野】
【０００１】  本考案は主に学習用のスチール製黒板、ボード面に対し、チョーク、マーカー等にて円等図形を描くべくスチール製黒板、ボード用コンパスに関するものである。
【背景技術】
【０００２】  黒板は以前ベニア板面を塗装したものが殆どであり、その表面にチョーク等にて文字を書いたり図形を描いたりすることができ、円周等図形を描く際には、大型の黒板用コンパスを用いてコンパス軸先端をゴム製品にて被着することで、摩擦抵抗が増え、黒板表面にコンパス軸を滑ることなく当接できたため、円周ラインを引いてもずれることなく簡単にきれいな円周等図形を作図することができた。【０００３】  然しながら近年では磁力性貼付物止具や本体自体が磁力性を有するマグネット貼付物を学習教材として利用する機会が頻出し、黒板自体の品質が耐用性等も鑑みベニア製からスチール製、ホワイトボード等へと変更され製造されるようになった。【０００４】  しかもスチール製黒板、ボードの表面は、磁力性効果や書き易さが要求されるため、従前のベニア製黒板と比較しても滑らかにコーティング処理されており、チョークやマーカーペンを用いて文字、図形を抵抗なくスムースに描くことが可能となっている。【０００５】  ところが、主としてベニア製黒板用として使用され続けてきた大型のコンパスを用いて、表面が滑らかに加工されたスチール製黒板、ホワイトボード等に円周等図形を描こうとすると、コンパス軸がスチール製黒板、ボード等表面の滑らかさ故に当接点から滑る可能性が高くなってしまうのである。【０００６】  しかも従前から主な黒板の使用形態は、水平方向に倒して使用するのではなく、垂直に立てる設定であり、垂直面に文字、図形等を描かなければならないのであり、コンパスを用いる場合、作図者は重力に逆らいながら、コンパスの軸を黒板表面に当接させて旨く円周等図形を描かなければならなかったのである。【０００７】  即ち、黒板表面が水平上ならば、コンパスの軸をほぼ重力垂直方向に立てればよく、円周を描く際も、ほぼ均等に近い押圧をかけるだけでスムースに始点から終点まで予定の円等を完成させることができるのだが、黒板表面が垂直に立地している場合では、円周等図形を描くべくコンパスの軸を黒板表面に当接させようとすると、重力により、コンパスの軸が下方へずれ落ちてしまう危険性があり、コンパスの軸を滑らさないで円周等図形を描くには水平面に対しコンパスの軸としての先端部を立てる押圧力より大きな力が必要であり且つ上下左右に対する押圧バランスも異なるため、チョークやマーカーでの円周等図形を描くべく回転力への不均衡な負担が掛かり、円を描く始点と終点がずれる等スムースに描くことができない可能性がある。【０００８】  増してや最近の黒板はスチール製やボード等が多く、表面がかなり滑らかで文字を書くのはスムースだが、コンパスを用いて円周等図形を描く場合、コンパスの軸を黒板表面に当接した段階で、黒板自体垂直に位置しかつ摩擦抵抗が極めて小さいためコンパスの軸は滑り易く、例え滑ることなく黒板表面に当接したとしても、円周等図形を描く段階ではコンパスの軸を傾斜して使用しなければならないため、増々滑り易くなり、円周ラインをスムースに描くことが困難となる。【０００９】  そこで、滑り易い黒板表面に対応すべく特開平１１−７８３７３号では、コンパス軸先端部に吸盤等を設け、例えば円周を描こうとする際、吸盤等にて円の中心点に吸着止し、チョー��等を有する描部脚を適宜に伸ばして円周を描くコンパスが考案されている。
【考案の開示】
【考案が解決しようとする課題】
【００１０】  学習等に用いるスチール製黒板、ホワイトボードは垂直に立てられて使用される場合が多く、コンパスを用いて円周等図形を描く際、コンパスの軸を黒板表面に当接させなければならないが、スチール製黒板、ホワイトボードの表面はとても滑らかに加工されており、コンパス軸が下方にずれ落ちる可能性があり、この段階で軸を当接させるための押圧バランスの調整が必要であり、コンパスの軸当接後、円周等図形を描くためにコンパスを開脚させ、コンパス頭部を持ち回動させようとすると、斜方向に傾けて描かざるを得ず、コンパスの軸がやはり滑り易い不安定な当接状態に陥ってしまうためあらためて押圧バランスの調整が必要となる。【００１１】  ところで、学習等に用いる黒板に円周等図形を描く際に求められるのは、製図のように時間をかけてラインの太さも含めて正確な形状を描くことではなく、生徒等に向けた説明と同時進行に近い状況下での描画能力である。【００１２】  然しながら、製図ほどの正確さは求められてはいないが、主に生徒を目前にした描画であるため、円周を描くならば、中心がずれることなくかつ円周ラインから外れることなく始点と終点が重なるべく図形が要求され、かつ生徒等に対する説明とほぼ同時進行であるため、速やかに円周等図形を必要な数だけ描かなければならない故、作図者にとって、コンパスの軸及び描くべくラインに対する押圧等の調整やコンパス開脚等への調整負担を最小限にとどめることが重要となる。【００１３】  加えて、マグネットの貼付等利用範疇が拡大された黒板の品質がスチール製、ホワイトボードに代わったことで黒板等の表面加工があまりにも滑らかになり、従ってコンパスの軸を滑らさずに当接させることがより困難になっている。【００１４】  そこで、コンパス軸に該当部に吸着装置を設置し、円周等図形の中心に吸着装置を押圧し、その後脚部を必要な長さに調節し円周ラインを描くべく特開平１１−７８３７３号が考案されている。【００１５】  然しながら学習用黒板に円周等図形を描く目的は、生徒等に説明をしながらほぼ同時に描くものであり、余分な作業等施さないで瞬時にしてラインを引き終わることが要求されているのであり、確かに特開平１１−７８３７３号の考案は中心軸をずらさず円周を描くことは出来るが、中心軸を確保するために吸着部を押圧することで吸着部を固定し、次に必要な半径等の距離に合わせて脚部を伸ばし円周ラインを描き、描画終了後引き剥がす等吸着部内の空気を抜くことで、固定した吸着部を黒板表面からはずさなければならない。【００１６】  更に、次の円周等図形を描くべく同様の工程を繰り返さなければならず、作図者にとって負担なく瞬時に正確な円周等図形を描く目的から掛け離れ、余分な作業負担が続くことになる。【００１７】  即ち、一個の円周等図形を描くのに一通りの工程をこなさなければならず、確かに必要な円周等図形を描くことは可能だが、説明と同時進行しつつ図形を速やかに描かなければならない使用者にとってはあまりにも負担が大きく、コンパス機能としては不適である要素が存在している。【００１８】  本考案は滑らかな表面を有するスチール製黒板、ボードに対し、コンパスの軸を滑らすことなくかつ余分な押圧の必要もなくスムースに円周等図形を描くことの出来るスチール製黒板、ボード用コンパスを提供するものである。
【課題を解決するための手段】
【００１９】  本考案はスチール製黒板、ボード等に円周等図形を描くことを目的とする黒板用コンパスであり、脚の片脚先端部にチョーク及びマーカーを取り付可能とし、他の脚先端部に円周等図形を描く中心軸としてスチール製黒板、ボードの表面に当接させるべくコンパスの軸を設けるものある。【００２０】  コンパスの軸を垂直に立った状態に位置しているスチール製黒板、ホワイトボードの表面にコンパスの軸を当接させ、コンパス軸をずらすことなくスムースに円周等図形を描くためにコンパスの軸先端部をゴムで被着させた部材のみでは、従前使用されていたベニア板黒板であれば表面の摩擦抵抗が一定程度あり、コンパス軸が滑りにくく無理なく円周等図形を描くことができたのだが、最近のスチール製黒板、ボードの表面は滑らかで摩擦抵抗が少なく、従来のコンパスの軸先端部をゴムで被着させた部材のみでは、滑り無く当接させることが困難であった。【００２１】  そこで、本考案の特徴としては、コンパスの軸先端部に固定した基軸を設け、基軸の周りに回動自在の回動部を被着させ、回動部先端付近にネオジウム磁石を捲着させ、ネオジウム磁石にはコンパス軸の針部として黒板に接地すべく半球状の鉄製接点部が当着し、回動部、ネオジウム磁石及び半球状の鉄製接点部を一体的にラバーコーティングにて外嵌しているコンパス軸を有するスチール製黒板、ボード用コンパスを提供するものである。
【考案の効果】
【００２２】  本考案と従来の公知技術との差異はスチール製黒板、ボードに円周等図形を描く際、回動軸となるコンパス針部を予定された一点に係止し、スムースに予定の図形を描くことができるか否かである。【００２３】  従来の公知技術では作図者が垂直に位置するスチール製黒板、ボード等にコンパスの回動軸としてコンパス針部を立てた際、従来のコンパス針部ではスチール製黒板、ボード表面から滑り易くかつ作図開始の際コンパス針部を傾けつつコンパスを回動運動させなければならず、コンパス針部はより滑り易くなるため作図者は押圧等のバランスを取るのが困難であった。【００２４】  だが、本考案のコンパス針部内にはネオジウム磁石が内蔵されているため、磁力によりコンパス針部は滑ることなくスチール製黒板、ボードの表面の一点に容易く係止させることができ、円周等図形を描く際、コンパス針部を傾けて回動運動させる際も滑り外れることなく描くことが可能なのである。【００２５】  しかもコンパス針部先端部の当接点は外嵌をラバーコーティングした半球状のスチール製金属で構成されているので、接点に対し磁力、ゴムの摩擦力で滑ることなくかつ描くべく円周等の回転方向に対してはスムースに接点からずれることなく回動し、正確な図形を簡単に描くことが可能となるのである。【００２６】  また、コンパス針部先端部のラバーコーティングにより黒板等の表面を傷つけることなく安心して使用することができる。【００２７】  更には描写終了後針部をスチール製黒板、ボード表面から外すことも何ら抵抗無くできるため、作図者にとって無駄な力、バランス力も必要なく極めて効率的かつ正確にとても簡単に予定された円周等図形を描くことができ、従って次の円周等図形を描くことも作図者にとって全く負担がかからず、極めて簡単な作業効率を生み出すことができるスチール製黒板、ボード用コンパスを提供するものである。
【考案を実施するための最良の形態】
【００２８】  自在に開閉可能な両脚を有するスチール製黒板、ボード用コンパスである本考案の部材は、円周等のラインを描くべくチョーク、マーカー等を取付け可能な片脚と本考案請求範囲となるコンパスの回動軸となるコンパス針部を有する他方の片脚から形成されている。【００２９】  本考案の効果を最良に発揮可能な形態としては、垂直に位置するスチール製黒板、ボードにコンパスを用いて円周等図形描く際コンパス両脚を開脚させ一定の半径幅を確保した後コンパス針部をコンパスの回動軸としてスチール製黒板、ボードの表面に当接させることになるが、コンパスの両脚は予めハの字状に開脚しており、コンパス針部をスチール製黒板、ボード表面に対し斜めに傾いた状態で当接することになる。【００３０】  次に、コンパス針部をスチール製黒板、ボードに当接させた後ラインを描くべくチョーク、マーカー等取付けた片脚を必要な半径幅分開脚してラインを描く際コンパス針部を斜め方向に傾けることになる。【００３１】  以上の実施形態により、コンパス針部をスチール製黒板、ボード表面に対し垂直だけではなく傾斜して当接させた場合にコンパス針部が当接点からずれることなくコンパス回動軸としての役割を果たす効果を見定めることができる。
【実施例】
【００３２】  本考案はスチール製黒板、ボード用コンパスを提示するものであり、コンパス本体（２）は開閉自在な両脚を有し、片脚先端部にはチョーク、マーカー等で図形ラインを描く部材を有し、他方の片脚にはコンパス軸支持部（３）を有し、コンパス軸支持部（３）下方部にはコンパスの回動軸となるコンパス針部（４）を取り付けている。【００３３】  図１は本考案のコンパス針部（４）の断面図である。コンパス針部（４）はコンパス軸支持部（３）の先端部に取り付けてあるが、その接続取付け方法はコンパス針部（４）の基軸となる針支持部（５ａ）上部をコンパス軸支持部（３）の下部面に一部挿入固定してある。【００３４】  コンパス針部（４）の構成は、針支持部（５）を基軸とし、下方に伸びる針支持部（５ｂ）の外周縁に回動自在の回動体（６）を嵌合し、回動体（６）先端部にネオジウム磁石（７）を倦着し、ネオジウム磁石（７）先端部にコンパス本体（２）の軸としてスチール製黒板・ボード（１）等に押圧すべく半球状のスチール製接点部（８）を当着し、針支持部（５）、回動体（６）、ネオジウム磁石（７）、スチール製接点部（８）を一体的に外嵌着するラバーコーティング（９）することで形成されている。【００３５】  本考案のスチール製黒板・ボード用コンパスを使用する形態は円周等図形を描く際に、主としてコンパス本体（２）の両脚を描くべく半径幅を確保して開脚した状態で垂直に位置するスチール製黒板、ボード（１）の表面にコンパスの回動軸となるコンパス針部（４）の先端部であるラバーコーティング（９）されたスチール製接点部（８）を当接させるか、又はスチール製接点部（８）を垂直に当接した後必要とされる半径幅を確保する２通りの作図方法がある。【００３６】  いずれにしても円周等図形を作図する際に、コンパス針部（４）の先端部であるスチール製接点部（８）はラバーコーティング（９）された状態で垂直に位置するスチール製黒板、ボード（１）表面に対し、傾斜した状態で押圧当接することになる。【００３７】  スチール製接点部（８）は連続して当着しているネオジウム磁石（７）の磁力により、スチール製黒板、ボード（１）の表面に滑ることなく係止し、コンパス針部（４）を回動軸として容易に正確な円周等図形のラインを描く段階に進めることができる。【００３８】  更にラインを描いている段階でもスチール製接点部（８）は滑ることなく係止しており、かつコンパス針部（４）内に位置する回動体（６）の存在によりコンパス針部を回動させようとすると針支持部（５）自体は回動するが、針支持部（５）に外嵌する回動体（６）及び回動体（６）と連動するスチール製接点部（８）は回動せず、バランスを崩すべく摩擦力等を受けること無くコンパスの軸として安定して係止しているためラインの始点と終点はずれることなく一致して描き終えることができる。【００３９】  予定の円周等図形を描き終えた後、スチール製接点部（８）を、スチール製黒板、ボード（１）の表面から容易に離脱させることができ、次の円周等図形の作図へとスムースに進行することが可能である。【００４０】  またコンパス針部（４）を全体的にラバーコーティングしているため、スチール製接点部（８）がスチール製黒板、ボード（１）の表面に直接的に当接しないことによりスチール製黒板、ボード（１）の表面を傷つけることもなく長期に亘り安定して使用することが可能である。
【図面の簡単な説明】
【００４１】
【図１】  本考案の実施例
【図２】  本考案のコンパス針部の正面図の断面図
【図３】  本考案のコンパス針部の正面図
【符号の説明】
【００４２】１  スチール製黒板、ボード
２  コンパス本体
３  コンパス軸支持部
４  コンパス針部
５  針支持部（５ａ，５ｂ）
６  回動体
７  ネオジウム磁石
８  スチール製接点部
９  ラバーコーティング
【図１】
0003171457.tif 000003
【図２】
0003171457.tif 000004
【図３】
0003171457.tif 000005